(57)【要約】【課題】画像表示装置に対する視認性の低下を抑制しつつ消費電力を抑制することができるバックライト装置及び画像表示装置を提供する。【解決手段】バックライト装置２０において、ＬＥＤ３０Ａ〜ＬＥＤ３０Ｄを有し、かつＬＥＤ３０Ａ〜ＬＥＤ３０Ｄの発光状態を各々発光期間及び非発光期間で状態が異なるパルス信号を入力して制御すると共に、制御部４０により、全てのパルス信号の発光期間の状態が重なる期間が周期的に生じるようにしている。【選択図】図２
2007214206.tif 000002
【特許請求の範囲】
【請求項１】
各々発光期間及び非発光期間で状態が異なるパルス信号が入力されて発光状態が制御される複数の光源と、
前記パルス信号を生成する生成手段と、
全てのパルス信号の前記発光期間の状態が重なる期間が周期的に生じるように前記生成手段を制御する制御手段と、
を備えたバックライト装置。
【請求項２】
前記複数の光源を少なくとも２組備え、
前記複数の光源による発光光を受光する受光部が当該複数の光源の各組毎に設けられ、各受光部により受光した発光光を照明対象に照射するように導光する導光手段を更に備えた、
請求項１記載のバックライト装置。
【請求項３】
請求項１または請求項２記載のバックライト装置と、
前記バックライト装置の前記複数の光源による発光光により表示領域が照明される表示手段と、
を備えた画像表示装置。
【発明の詳細な説明】
【技術分野】
【０００１】
本発明は、バックライト装置及び画像表示装置に係り、特に、液晶ディスプレイ装置等の画像表示装置の照明用として用いられるバックライト装置と当該バックライト装置を備えた画像表示装置に関する。
【背景技術】
【０００２】
近年、液晶ディスプレイ（以下、「ＬＣＤ」という。）装置等の画像表示装置を備えることにより表示機能を有するデジタルスチルカメラ（以下、「ＤＳＣ」という。）や、携帯電話機等のモバイル機器をはじめとする電子機器の需要が急増している。
【０００３】
この種の電子機器の中には、当該電子機器の駆動用の電力を供給するバッテリを内蔵しているものがあり、このようなバッテリを内蔵した電子機器の市場においては、１回の充電による電子機器の使用時間を如何に伸ばすかが重要な鍵となっている。
【０００４】
ところで、バッテリを内蔵した電子機器の使用時間の延長を阻害する要因として、画像表示装置の照明用として備えられているバックライト装置による電力の消費を挙げることができる。
【０００５】
このため、従来からバックライト装置による消費電力を如何に抑制するかが検討されており、例えば、特許文献１には、光センサにより検知された周囲の明るさが暗いほどバックライト装置に供給する電流の電流値を小さくすることにより消費電力を抑制する技術が開示されている。
【０００６】
また、特許文献２には、電荷結合素子（以下、「ＣＣＤ」という。）等のイメージセンサの露出を制御する制御信号に基づいて周囲の明るさを推測することにより当該イメージセンサの露出を適正に制御する一方、推測した周囲の明るさが暗いほどバックライト装置による照明光の輝度値が小さくなるように制御することにより、消費電力を抑制することができるようにする技術が開示されている。
【特許文献１】特開２０００−３２４２３９号公報
【特許文献２】特開２００２−３００４４７号公報
【発明の開示】
【発明が解決しようとする課題】
【０００７】
しかしながら、上記特許文献１及び特許文献２の各特許文献に開示されている技術では、バックライト装置に供給される電流の電流値（バックライト装置による照明光の輝度値）を周囲の明るさが暗いほど小さくするものとされているため、周囲が明るいときには消費電力を抑制することができない場合がある、という問題点があった。
【０００８】
また、上記各特許文献に開示されている技術では、消費電力の抑制効果が高くなるほど、バックライト装置による発光輝度が低下する結果、画像表示装置に対する視認性が低下してしまう、という問題点があった。
【０００９】
本発明は、上記問題点を解決するためになされたものであり、画像表示装置に対する視認性の低下を抑制しつつ消費電力を抑制することができるバックライト装置及び画像表示装置を提供することを目的とする。
【課題を解決するための手段】
【００１０】
上記目的を達成するために、請求項１記載のバックライト装置は、各々発光期間及び非発光期間で状態が異なるパルス信号が入力されて発光状態が制御される複数の光源と、前記パルス信号を生成する生成手段と、全てのパルス信号の前記発光期間の状態が重なる期間が周期的に生じるように前記生成手段を制御する制御手段と、を備えている。
【００１１】
請求項１に記載のバックライト装置は、各々発光期間及び非発光期間で状態が異なるパルス信号が入力されて発光状態が制御される複数の光源が備えられており、前記パルス信号は生成手段によって生成される。なお、上記光源には、発光ダイオード（以下、「ＬＥＤ」という。）、冷陰極管、有機エレクトロルミネッセンス等の電気的に発光を制御することのできるあらゆる発光素子が含まれる。
【００１２】
ここで、本発明では、制御手段により、全てのパルス信号の前記発光期間の状態が重なる期間が周期的に生じるように前記生成手段が制御される。
【００１３】
すなわち、本発明では、全てのパルス信号の発光期間の状態が重なる期間を周期的に生じさせることにより、視覚的な残像現象を利用して画像表示装置に対する視認性の低下を抑制することができるようにしている。
【００１４】
また、本発明では、非発光期間の状態を有するパルス信号を光源の発光状態を制御するために用いているので、照明時に常時電力を供給する場合に比較して消費電力を抑制することができる。
【００１５】
このように、請求項１に記載のバックライト装置によれば、複数の光源を有し、かつ当該複数の光源の発光状態を各々発光期間及び非発光期間で状態が異なるパルス信号を入力して制御すると共に、全てのパルス信号の発光期間の状態が重なる期間が周期的に生じるようにしているので、画像表示装置に対する視認性の低下を抑制しつつ消費電力を抑制することができる。
【００１６】
なお、請求項１に記載の発明は、請求項２に記載の発明のように、前記複数の光源を少なくとも２組備え、前記複数の光源による発光光を受光する受光部が当該複数の光源の各組毎に設けられ、各受光部により受光した発光光を照明対象に照射するように導光する導光手段を更に備えたものとしてもよい。
【００１７】
一方、上記目的を達成するために、請求項３に記載の画像表示装置は、請求項１または請求項２記載のバックライト装置と、前記バックライト装置の前記複数の光源による発光光により表示領域が照明される表示手段と、を備えたものである。
【００１８】
従って、請求項３に記載の画像表示装置は、本発明のバックライト装置を備えているので、当該バックライト装置と同様に、当該画像表示装置に対する視認性の低下を抑制しつつ消費電力を抑制することができる。
【発明の効果】
【００１９】
本発明によれば、複数の光源を有し、かつ当該複数の光源の発光状態を各々発光期間及び非発光期間で状態が異なるパルス信号を入力して制御すると共に、全てのパルス信号の発光期間の状態が重なる期間が周期的に生じるようにしているので、画像表示装置に対する視認性の低下を抑制しつつ消費電力を抑制することができる、という効果が得られる。
【発明を実施するための最良の形態】
【００２０】
以下、図面を参照して、本発明の実施の形態について詳細に説明する。なお、ここでは、本発明を液晶ディスプレイ装置に適用した場合について説明する。
【００２１】
［第１の実施の形態］
まず、図１を参照して、本実施の形態に係る液晶ディスプレイ装置１０の全体的な構成について説明する。
【００２２】
同図に示されるように、本実施の形態に係る液晶ディスプレイ装置１０は、照明光を射出するバックライト装置２０と、バックライト装置２０から射出された照明光により表示領域が照明される液晶パネル部３４と、を備えている。
【００２３】
バックライト装置２０は、複数（本実施の形態では、４つ。）のＬＥＤ３０Ａ、３０Ｂ、３０Ｃ、３０Ｄと、ＬＥＤ３０Ａ〜ＬＥＤ３０Ｄによる発光光を液晶パネル部３４の表示領域に対する照明光として照射するように導光する導光板３２と、を備えている。
【００２４】
なお、導光板３２には、ＬＥＤ３０Ａ〜ＬＥＤ３０Ｄによる発光光を受光する受光部Ｄ１が導光板３２の一側面に設けられており、受光部Ｄ１により受光した発光光を導光するものとされている。
【００２５】
一方、液晶パネル部３４は、表示領域全体が導光板３２により照明されるように配設されている。ここで、液晶パネル部３４は、表示対象とする画像を示す画像データに基づいて当該液晶パネル部３４の表示領域における各画素位置の液晶に対し電圧が印加されることにより各画素における上記発光光の透過率が制御されることによって画像を表示するものとされる。
【００２６】
なお、以上の導光板３２及び液晶パネル部３４に関する技術は従来既知の技術であるので、これ以上のここでの説明は省略する。
【００２７】
次に、図２を参照して、本実施の形態に係るバックライト装置２０の電気系の要部構成について説明する。
【００２８】
同図に示されるように、本実施の形態に係るバックライト装置２０は、液晶ディスプレイ装置１０全体の動作を司る制御部４０と、制御部４０による各種プログラムの実行時のワークエリア等として用いられるＲＡＭ（Random Access Memory）４２と、各種パラメータや各種プログラム等が予め記録されたＲＯＭ（Read Only Memory）４４と、ＬＥＤ３０Ａ〜ＬＥＤ３０Ｄの発光状態を制御するための駆動信号を生成する駆動波形発生回路４６Ａ、４６Ｂ、４６Ｃ、４６Ｄと、駆動波形発生回路４６Ａ〜駆動波形発生回路４６Ｄにより生成された駆動信号に基づいてＬＥＤ３０Ａ〜ＬＥＤ３０Ｄの発光状態を制御するＬＥＤ駆動回路４８Ａ、４８Ｂ、４８Ｃ、４８Ｄと、が備えられている。
【００２９】
なお、制御部４０には、液晶ディスプレイ装置１０と接続され、当該液晶ディスプレイ装置１０に画像を表示させる外部装置から、液晶ディスプレイ装置１０に対して入力される信号に基づいて生成された、液晶ディスプレイ装置１０に画像を表示するか否かを示す信号（以下、「表示実行信号」という。）が入力されるものとされており、制御部４０は当該表示実行信号の入力の有無を常時把握できる。
【００３０】
ここで、本実施の形態に係る駆動波形発生回路４６Ａ〜駆動波形発生回路４６Ｄは、上記駆動信号としてパルス信号（ここでは、パルス幅変調信号）を生成するものとされており、制御部４０は、駆動波形発生回路４６Ａ〜駆動波形発生回路４６Ｄによって生成される駆動信号の周波数及びパルス幅を各々変更することができると共に、複数の駆動信号の周波数を同一とした場合は各駆動信号間の位相差を変更することができる。
【００３１】
なお、本実施の形態に係るバックライト装置２０では、上記駆動信号の信号レベルがハイレベル（Ｈｉｇｈレベル）の状態であるときにＬＥＤが発光するものとされる一方、上記駆動信号の信号レベルがローレベル（Ｌｏｗレベル）の状態であるときにＬＥＤが発光しないものとされている。
【００３２】
また、本実施の形態に係る駆動波形発生回路４６Ａは駆動信号Ａを、駆動波形発生回路４６Ｂは駆動信号Ｂを、駆動波形発生回路４６Ｃは駆動信号Ｃを、駆動波形発生回路４６Ｄは駆動信号Ｄを各々生成するものとされており、更に、駆動信号ＡによりＬＥＤ３０Ａの発光状態が、駆動信号ＢによりＬＥＤ３０Ｂの発光状態が、駆動信号ＣによりＬＥＤ３０Ｃの発光状態が、駆動信号ＤによりＬＥＤ３０Ｄの発光状態が各々制御される。
【００３３】
次に、図３及び図４を参照して、画像を表示する際の液晶ディスプレイ装置１０の作用を説明する。なお、図３は、上記表示実行信号が入力された際に制御部４０により実行されるバックライト点灯処理プログラムの処理の流れを示すフローチャートであり、当該プログラムはＲＯＭ４４に予め記憶されている。また、図４は、バックライト点灯処理プログラムの実行時における液晶ディスプレイ装置１０の主要な信号の推移を示すタイムチャートである。
【００３４】
まず、ステップ１００では、駆動信号Ａ〜駆動信号Ｄの発光期間の状態が重なる期間が周期的に生じるように当該駆動信号Ａ〜駆動信号Ｄを生成させることを指示する指示情報を駆動波形発生回路４６Ａ〜駆動波形発生回路４６Ｄに対して出力する。
【００３５】
なお、本実施の形態では、駆動信号Ａ〜駆動信号Ｄの周波数及びパルス幅が周波数ｆ［Ｈｚ］及びパルス幅Ｗ［秒］に各々設定されると共に、駆動信号Ａと駆動信号Ｂとの位相差、駆動信号Ｂと駆動信号Ｃとの位相差、及び駆動信号Ｃと駆動信号Ｄとの位相差が各々位相差Ｐ［秒］に設定される。
【００３６】
また、本実施の形態に係るバックライト装置２０では、上記周波数として、発光光による点滅が視覚されない周波数として予め実験により求めた値を適用しているが、これに限定されず、例えば、上記周波数として、発光光による点滅が視覚されない周波数として予め理論的に求めた値を適用してもよい。
【００３７】
次のステップ１０２では、本プログラムを終了するタイミングが到来するまで待機し、次のステップ１０４にて、駆動信号Ａ〜駆動信号Ｄの生成の停止を指示する指示情報を駆動波形発生回路４６Ａ〜駆動波形発生回路４６Ｄに対して出力した後、本バックライト点灯処理プログラムを終了する。なお、本実施の形態に係る液晶ディスプレイ装置１０では、上記本プログラムを終了するタイミングとして上記表示実行信号が入力されなくなったタイミングを適用しているが、これに限らず、液晶ディスプレイ装置１０の不図示の電源スイッチがオフ状態となったタイミング等を適用する形態とすることもできる。
【００３８】
本バックライト点灯処理プログラムの実行により、一例として、図４に示されるように、駆動信号Ａ〜駆動信号Ｄの発光期間の状態（本実施の形態では、駆動信号Ａ〜駆動信号Ｄの信号レベルがハイレベルの状態。）が重なる期間（同図の斜線部に対応。）を周期的に生じさせることにより、視覚的な残像現象を利用して液晶ディスプレイ装置１０に対する視認性の低下を抑制することができるようにしている。
【００３９】
また、本実施の形態では、非発光期間の状態（本実施の形態では、ローレベルの状態。）を有するデューティＤ［％］の駆動信号をＬＥＤ３０Ａ〜ＬＥＤ３０Ｄの発光状態を制御するために用いているので、照明時に常時電力を供給する場合に比較して消費電力をデューティＤ［％］に応じた率に抑制することができる。
【００４０】
以上詳細に説明したように、本実施の形態では、複数の光源（ここでは、ＬＥＤ３０Ａ〜ＬＥＤ３０Ｄ。）を有し、かつ当該複数の光源の発光状態を各々発光期間及び非発光期間で状態が異なるパルス信号を入力して制御すると共に、全ての駆動信号の発光期間の状態が重なる期間が周期的に生じるようにしているので、画像表示装置（ここでは、液晶ディスプレイ装置１０。）に対する視認性の低下を抑制しつつ消費電力を抑制することができる。
【００４１】
［第２の実施の形態］
本第２の実施の形態では、本発明の複数の光源を複数組有する場合の形態例について説明する。
【００４２】
まず、図５を参照して、本第２の実施の形態に係る液晶ディスプレイ装置１０’ の全体的な構成について説明する。なお、同図の図１と同一の構成要素については図１と同一の符号を付して、その説明を省略する。
【００４３】
同図に示されるように、本第２の実施の形態に係る液晶ディスプレイ装置１０’は、バックライト装置２０に代えてバックライト装置２０’が備えられている点のみが、上記第１の実施の形態に係る液晶ディスプレイ装置１０と異なっている。
【００４４】
本第２の実施の形態に係るバックライト装置２０’は、複数（本第２の実施の形態では、３つ。）のＬＥＤ３０Ａ’、ＬＥＤ３０Ｂ’、ＬＥＤ３０Ｃ’からなる１組のＬＥＤと、複数のＬＥＤ３０Ｄ’、ＬＥＤ３０Ｅ’、ＬＥＤ３０Ｆ’からなる１組のＬＥＤと、ＬＥＤ３０Ａ’〜ＬＥＤ３０Ｆ’による発光光を液晶パネル３４の表示領域に対する照明光として照射するように導光する導光板３２’と、を備えている。
【００４５】
導光板３２’には、ＬＥＤ３０Ａ’〜ＬＥＤ３０Ｃ’による発光光を受光する受光部Ｄ１’と、ＬＥＤ３０Ｄ’〜ＬＥＤ３０Ｆ’による発光光を受光する受光部Ｄ２’とが、導光板３２’の互いに対向する２つの側面に各々設けられており、受光部Ｄ１’及び受光部Ｄ２’により受光した発光光を導光するものとされている。
【００４６】
なお、ＬＥＤ３０Ｃ’はＬＥＤ３０Ｆ’に、ＬＥＤ３０Ｂ’はＬＥＤ３０Ｅ’に、ＬＥＤ３０Ａ’はＬＥＤ３０Ｄ’に各々互いに対向するように各受光部の近傍に配設されている。
【００４７】
次に、図６を参照して、本第２の実施の形態に係るバックライト装置２０’の電気系の要部構成について説明する。なお、同図の図２と同一の構成要素については図２と同一の符号を付して、その説明を省略する。
【００４８】
同図に示されるように、本第２の実施の形態に係るバックライト装置２０’は、ＬＥＤ３０Ａ〜ＬＥＤ３０Ｄに代えてＬＥＤ３０Ａ’〜ＬＥＤ３０Ｆ’が備えられている点、駆動波形発生回路４６Ａ〜駆動波形発生回路４６Ｄに代えて、駆動波形発生回路４６Ａ’、駆動波形発生回路４６Ｂ’、駆動波形発生回路４６Ｃ’が備えられている点、ＬＥＤ駆動回路４８Ａ〜ＬＥＤ駆動回路４８Ｄに代えて、ＬＥＤ駆動回路４８Ａ’、４８Ｂ’、４８Ｃ’が備えられている点のみが、上記第１の実施の形態に係るバックライト装置２０’と異なっている。
【００４９】
本第２の実施の形態に係る駆動波形発生回路４６Ａ’は駆動信号Ａ’を、駆動波形発生回路４６Ｂ’は駆動信号Ｂ’を、駆動波形発生回路４６Ｃ’は駆動信号Ｃ’を各々生成するものとされており、更に、駆動信号Ａ’によりＬＥＤ３０Ｃ’及びＬＥＤ３０Ｆ’の発光状態が、駆動信号Ｂ’によりＬＥＤ３０Ｂ’及びＬＥＤ３０Ｅ’の発光状態が、駆動信号Ｃ’によりＬＥＤ３０Ａ’及びＬＥＤ３０Ｄ’の発光状態が各々制御される。
【００５０】
また、本第２の実施の形態に係るＬＥＤ駆動回路４８Ａ’はＬＥＤ３０Ｃ’及びＬＥＤ３０Ｆ’が同時期に同じ発光状態となるように、ＬＥＤ駆動回路はＬＥＤ３０Ｂ’及びＬＥＤ３０Ｅ’が同時期に同じ発光状態となるように、ＬＥＤ駆動回路４８Ｃ’はＬＥＤ３０Ａ’及びＬＥＤ３０Ｄ’が同時期に同じ発光状態となるように、制御するものとされる。
【００５１】
なお、本第２の実施の形態に係るバックライト装置２０’では、互いに対向するＬＥＤが、同時期に同じ発光状態となるものとされているが、本発明はこれに限定されるものではなく、例えば、ＬＥＤの駆動位相を互いに異ならせることにより、互いに対向するＬＥＤが、同時期に異なる発光状態となるようにしてもよく、この場合、液晶ディスプレイ装置１０’の表示領域全体に対する明るさをより均一なものとすることができる結果、液晶ディスプレイ装置１０’に対する視認性の低下を抑制することができる。
【００５２】
次に、図７及び図８を参照して、画像を表示する際の液晶ディスプレイ装置１０’の作用を説明する。なお、図７は、上述した表示実行信号が入力された際に制御部４０により実行されるバックライト点灯処理プログラムの処理の流れを示すフローチャートであり、当該プログラムはＲＯＭ４４に予め記憶されている。ここで、同図の図３と同一の処理を行うステップについては図３と同一のステップ番号を付して、その説明を省略する。また、図８は、バックライト点灯処理プログラムの実行時における液晶ディスプレイ装置１０’の主要な信号の推移を示すタイムチャートである。
【００５３】
まず、ステップ１０１では、駆動信号Ａ’〜駆動信号Ｃ’の発光期間の状態が重なる期間が周期的に生じるように当該駆動信号Ａ’〜駆動信号Ｃ’を生成させることを指示する指示情報を駆動波形発生回路４６Ａ’〜駆動波形発生回路４６Ｃ’に対して出力する。
【００５４】
なお、本実施の形態では、駆動信号Ａ’〜駆動信号Ｃ’の周波数及びパルス幅が周波数ｆ［Ｈｚ］及びパルス幅Ｗ［秒］に各々設定されていると共に、駆動信号Ａ’と駆動信号Ｂ’との位相差、駆動信号Ｂ’と駆動信号Ｃ’との位相差が各々位相差Ｐ［秒］に設定されている。
【００５５】
次のステップ１０２では、本プログラムを終了するタイミングが到来するまで待機し、次のステップ１０５にて、駆動信号Ａ’〜駆動信号Ｃ’の生成の停止を指示する指示情報を駆動波形発生回路４６Ａ’〜駆動波形発生回路４６Ｃ’に対して出力した後、本バックライト点灯処理プログラムを終了する。なお、本第２の実施の形態に係る液晶ディスプレイ装置１０’でも、上記本プログラムを終了するタイミングとして上記表示実行信号が入力されなくなったタイミングを適用しているが、これに限らず、液晶ディスプレイ装置１０’の不図示の電源スイッチがオフ状態となったタイミング等を適用する形態とすることもできる。
【００５６】
本バックライト点灯処理プログラムの実行により、一例として、図８に示されるように、駆動信号Ａ’〜駆動信号Ｃ’の発光期間の状態（本実施の形態では、駆動信号Ａ’〜駆動信号Ｃ’の信号レベルがハイレベルの状態。）が重なる期間（同図の斜線部に対応。）を周期的に生じさせることにより、視覚的な残像現象を利用して液晶ディスプレイ装置１０’に対する視認性の低下を抑制することができるようにしている。
【００５７】
また、本第２の実施の形態では、非発光期間の状態（本第２の実施の形態では、ローレベルの状態。）を有するデューティＤ［％］の駆動信号をＬＥＤ３０Ａ’〜ＬＥＤ３０Ｆ’の発光状態を制御するために用いているので、照明時に常時電力を供給する場合に比較して消費電力をデューティＤ［％］に応じた率に抑制することができる。
【００５８】
以上詳細に説明したように、本実施の形態では、複数の光源（ここでは、ＬＥＤ３０Ａ’〜ＬＥＤ３０Ｆ’。）を有し、かつ当該複数の光源の発光状態を各々発光期間及び非発光期間で状態が異なるパルス信号を入力して制御すると共に、全てのパルス信号の発光期間の状態が重なる期間が周期的に生じるようにしているので、画像表示装置（ここでは、液晶ディスプレイ装置１０’。）に対する視認性の低下を抑制しつつ消費電力を抑制することができる。
【００５９】
また、本実施の形態では、前記複数の光源を２組備え、前記複数の光源による発光光を受光する受光部が当該複数の光源の各組毎に設けられ、各受光部により受光した発光光を照明対象（ここでは、液晶パネル部３４。）に照射する導光手段（ここでは、導光板３２’。）を更に備えているので、画像表示装置の表示領域全体に対する明るさをより均一なものとすることができる結果、画像表示装置に対する視認性の低下を抑制することができる。
【００６０】
なお、上記各実施の形態では、複数の駆動信号を同一の周波数とした場合について説明したが、本発明はこれに限定されるものではなく、例えば、駆動信号を同一の周波数としない形態とすることもできる。この場合も、上記実施の形態と同様の効果を奏することができる。
【００６１】
その他、上記各実施の形態で示した液晶ディスプレイ装置のハードウェア構成（図１、図２、図５及び図６参照。）は一例であり、必要に応じて新たな構成要素を追加したり、不要な構成要素を削除したりすることができることは言うまでもない。
【００６２】
更に、上記各実施の形態で示したバックライト点灯処理プログラムの処理の流れ（図３及び図７参照。）も一例であり、必要に応じて処理手順を変更したり、処理内容を変更したり、不要な処理を削除したりすることができることは言うまでもない。
【図面の簡単な説明】
【００６３】
【図１】第１の実施の形態に係る液晶ディスプレイ装置の全体的な構成を示すブロック図である。
【図２】第１の実施の形態に係るバックライト装置の電気系の要部構成を示すブロック図である。
【図３】第１の実施の形態に係るバックライト点灯処理プログラムの処理の流れを示すフローチャートである。
【図４】第１の実施の形態に係るバックライト点灯処理プログラムの実行時における液晶ディスプレイ装置の主要な信号の推移を示すタイムチャートである。
【図５】第２の実施の形態に係る液晶ディスプレイ装置の全体的な構成を示すブロック図である。
【図６】第２の実施の形態に係るバックライト装置の電気系の要部構成を示すブロック図である。
【図７】第２の実施の形態に係るバックライト点灯処理プログラムの処理の流れを示すフローチャートである。
【図８】第２の実施の形態に係るバックライト点灯処理プログラムの実行時における液晶ディスプレイ装置の主要な信号の推移を示すタイムチャートである。
【符号の説明】
【００６４】
１０、１０’          液晶ディスプレイ装置（画像表示装置）
２０、２０’          バックライト装置
３０Ａ〜３０Ｄ        ＬＥＤ（光源）
３０Ａ’〜３０Ｆ’    ＬＥＤ（光源）
３２、３２’          導光板（導光手段）
３４                  液晶パネル部（表示手段）
４０                  制御部（制御手段）
４６Ａ〜４６Ｄ        駆動波形発生回路（生成手段）
４６Ａ’〜４６Ｃ’    駆動波形発生回路（生成手段）
Ｄ１、Ｄ１’、Ｄ２’  受光部
【図１】
2007214206.tif 000003
【図２】
2007214206.tif 000004
【図３】
2007214206.tif 000005
【図４】
2007214206.tif 000006
【図５】
2007214206.tif 000007
【図６】
2007214206.tif 000008
【図７】
2007214206.tif 000009
【図８】
2007214206.tif 000010